(57)【特許請求の範囲】
【請求項１】
照明または撮像用のタイル状ディスプレイ（１００）であって、前記タイル状ディスプレイ（１００）は、並べて配置された複数のディスプレイタイル（１１０）を備え、前記タイル状ディスプレイ（１００）はさらに、２つの近接するディスプレイタイル（１１０）間の継目（１１２）において少なくとも１つの光吸収織物または布地（１１６）を含む継目隠し手段（１１４）を備える、タイル状ディスプレイ（１００）。
【請求項２】
前記少なくとも１つの光吸収織物または布地（１１６）は、少なくとも１つのディスプレイタイル（２１０ａ）に接続される、請求項１に記載のタイル状ディスプレイ（１００）。
【請求項３】
前記少なくとも１つの光吸収織物または布地（１１６）はさらに、前記少なくとも１つのディスプレイタイル（２１０ａ）に近接するディスプレイタイル（２１０ｂ）に接続されるのに適する、請求項２に記載のタイル状ディスプレイ（１００）。
【請求項４】
前記少なくとも１つの吸収織物または布地（１１６）は、前記少なくとも１つのディスプレイタイル（２１０ａ）の縁端に接続される、請求項２または３のいずれかに記載のタイル状ディスプレイ（１００）。
【請求項５】
前記継目隠し手段（１１４）は、前記近接するディスプレイタイル（２１０ｂ）の縁端に接続される第２の織物または布地（３０２）を含み、前記少なくとも１つの吸収織物または布地（１１６）は、前記第２の織物または布地（３０２）の表面から直立する直立部間に、前記第１の織物または布地（１１６）の表面から直立する直立部を移動させることにより、前記第２の織物または布地（３０２）と相互作用するように適合される、請求項１から４のいずれかに記載のタイル状ディスプレイ（１００）。
【請求項６】
前記第２の織物または布地（３０２）は、光吸収織物または布地である、請求項５に記載のタイル状ディスプレイ（１００）。
【請求項７】
前記継目隠し手段（１１４）は、前記タイル状ディスプレイ（１００）における前記ディスプレイタイル（１１０）の位置合わせを助けるために、移動するディスプレイタイル（１１０）に抵抗圧力を与えるための平均圧縮強度を有する、請求項１から６のいずれかに記載のタイル状ディスプレイ（１００）。
【請求項８】
前記継目隠し手段は、１つのディスプレイタイルの重力に対向するように適合される平均圧縮強度を有する、請求項１から６のいずれかに記載のタイル状ディスプレイ（１００）。
【請求項９】
前記少なくとも１つの光吸収織物または布地（１１６）の織物または布地材料は、ポリアミドを少なくとも７５％含む、請求項１から８のいずれかに記載のタイル状ディスプレイ（１００）。
【請求項１０】
請求項１から９のいずれかに記載のタイル状ディスプレイ（１００）と、前記タイル状ディスプレイ（１００）において複数のディスプレイタイル（１１０）を駆動するための駆動手段（１２２）とを備える、タイル状ディスプレイシステム。
【請求項１１】
タイル状ディスプレイ（１００）で使用するためのディスプレイタイル（１１０，２１０ａ，２１０ｂ）であって、前記ディスプレイタイル（１１０，２１０ａ，２１０ｂ）は、前記ディスプレイタイル（１１０，２１０ａ，２１０ｂ）に接続されて、前記ディスプ
レイタイル（１１０，２１０ａ）がタイル状ディスプレイ（１００）において組立てられる際に、前記ディスプレイタイル（１１０，２１０ａ）と近接するディスプレイタイル（１１０，２１０ｂ）との間の継目（１１２）を隠すことを助ける、光吸収織物または布地（１１６）を備える、ディスプレイタイル（１１０，２１０ａ，２１０ｂ）。
【請求項１２】
前記ディスプレイタイル（１１０，２１０ａ，２１０ｂ）は、前記ディスプレイタイル（１１０，２１０ａ）がタイル状ディスプレイ（１００）において組立てられる際に、近接するタイルの光吸収織物または布地に接続するための接続手段（２３０）を備える、請求項１１に記載のディスプレイタイル（１１０，２１０ａ，２１０ｂ）。
【請求項１３】
前記ディスプレイタイルは、第２の織物または布地（３０２）を備え、前記第２の織物または布地（３０２）は、前記第２の織物または布地（３０２）の表面から直立する直立部間に、近接するタイルの第１の光吸収織物または布地（１１６）の表面から直立する直立部を移動させることにより、前記第１の織物または布地（１１６）と相互作用するように適合される、請求項１１または１２のいずれかに記載のディスプレイタイル（１１０，２１０ａ，２１０ｂ）。
【請求項１４】
タイル状ディスプレイ（１００）を組立てるための方法であって、前記方法は、
−複数のディスプレイタイル（１１０，２１０ａ，２１０ｂ）を得るステップと、
−前記複数のディスプレイタイル（１１０，２１０ａ，２１０ｂ）を並べて配置するステップとを含み、それにより、２つの近接するディスプレイタイル（１１０，２１０ａ，２１０ｂ）間の少なくとも１つの継目（１１２）に継目隠し手段（１１４）が設けられ、前記継目隠し手段（１１４）は、少なくとも１つの光吸収織物または布地（１１６）を含む、方法。
【請求項１５】
前記方法は、前記配置するステップの前に、第１のディスプレイタイル（１１０，２１０ａ，２１０ｂ）の縁端において前記少なくとも１つの光吸収織物または布地（１１６）を接続するステップを含む、請求項１４に記載の方法。
【請求項１６】
前記方法はさらに、前記第１のディスプレイタイルに近接して位置付けられるであろうディスプレイタイルに第２の織物または布地（３０２）を接続するステップを含み、前記複数のディスプレイタイル（１１０，２１０ａ，２１０ｂ）を並べて配置するステップは、近接するタイルの第２の織物または布地（３０２）の表面から直立する直立部間に、第１の光吸収織物または布地（１１６）の表面から直立する直立部を移動させることにより、前記第１の織物または布地（１１６）と、前記第２の織物または布地（３０２）との間の相互作用をもたらすステップを含む、請求項１５に記載の方法。
【請求項１７】
タイル状ディスプレイ（１００）を調節するための方法であって、前記方法は、ディスプレイタイル（１１０，２１０ａ，２１０ｂ）を取外し、それにより、前記ディスプレイタイル（１１０，２１０ａ）に接続された第１の光吸収織物または布地（１１６）と、近接するタイル（１１０，２１０ｂ）に接続された第２の織物または布地（３０２）との間の相互作用をなくすステップと、制御されたおよび／または調節されたおよび／または取替えディスプレイタイル（１１０，２１０ａ，２１０ｂ）を導入し、それにより、前記制御されたおよび／または調節されたおよび／または取替えディスプレイタイルに接続された第１の光吸収織物または布地（１１６）と、前記近接するタイル（１１０，２１０ｂ）に接続された第２の織物または布地（３０２）との間の相互作用をもたらすステップとを含む、方法。
【発明の詳細な説明】
【技術分野】
【０００１】
発明の技術分野
この発明は、撮像システムまたは照明システムの分野に関する。この発明は、より具体的には、総体的な撮像品質が良好なタイル状ディスプレイシステムを組立てるか、または調節するためのタイル状ディスプレイシステムおよび方法に関する。
【背景技術】
【０００２】
発明の背景
大判型ディスプレイシステムが広く使用されるようになり、制御室内、広告用、行事の際の表示用等の用途に供されている。使用される大判型ディスプレイシステムの殆どは、タイル状ディスプレイシステムであり、多数のディスプレイタイルまたはディスプレイモジュールで構成されている。このことは、複数のディスプレイタイルを互いに隣接して配設することにより、従来のディスプレイを用いて得られるディスプレイ表面よりも大きなディスプレイ表面を得ることを可能にし、これらの異なるディスプレイタイルの全体に亘って照明出力または撮像出力を行き渡らせることを可能にする。ディスプレイタイルまたはモジュールは、機械的に共に結合されて、完全大判型のディスプレイを形成する。ディスプレイにおける異なるタイルまたはモジュール間の空間または隙間を継目と呼ぶ。タイル状ディスプレイにおいては、複数の問題、たとえば、継目付近における機械的安定性および強度、ならびに撮像品質または照明品質の問題が認められる。ＵＳ６，７３４，６１７には、タイル状フラットパネルディスプレイが記載されており、ディスプレイモジュールの背面に補強ストラップを増設し、個々のディスプレイモジュール間の継目を横切って延在させることにより、より大きな機械的安定性を得ている。これらにより、ストラップに対して応力が再分散されるため、ディスプレイシステムの損傷を防止する。
【特許文献１】ＵＳ６，７３４，６１７
【特許文献２】米国特許出願２００２／０１６３３０１
【発明の開示】
【発明が解決しようとする課題】
【０００３】
良好な照明品質または撮像品質を得るには、継目が見えない方がよい。継目は、多数の理由によって見えることが考えられる。継目が見えるの１つの原因とは、１つのタイルのピクセル間のピッチを基準として、近接するタイルのピクセル間のピッチが変動することであり、この変動は特に、ディスプレイタイルの位置合わせによって決まる。ディスプレイタイル間の隙間が、１つのタイル内の個々の光源（ＬＥＤ等）またはピクセル間のピッチを基準として、近接するタイルの縁端における個々の光源またはピクセル間のピッチを増大させた場合、継目は黒ずんだ線として出現する。ディスプレイタイル間の隙間が、１つのタイル内の個々の光源（ＬＥＤ等）またはピクセル間のピッチを基準として、近接するタイルの縁端における個々の光源間のピッチを減少させた場合、継目は、ディスプレイタイル間の交差部において明るい線として出現する。第１の場合では、ディスプレイタイルの機械的接続部における高エネルギの光束が減少し、第２の場合では、高エネルギの光束が増大する。したがって、近接するタイルの縁端全体においても、個々の光源間のピッチを一定に保つことが有利である。タイル間の継目が見える別の原因とは、たとえば、タイル状ディスプレイの裏面に入射し、継目を通って視認方向に誘導される環境光または迷光の存在が考えられる。
【０００４】
タイル状ディスプレイシステムにおいて継目が見えることに対する、このような原因を減じるか、または回避するためのいくつかの解決策が、既に提示されている。たとえば、
米国特許出願２００２／０１６３３０１では、タイル状ディスプレイが記載されており、タイルモジュール間の継目が、光学的に透明であって実質的に屈折率に整合する隙間材料で充填されている。この材料は接着性であり、ディスプレイタイルモジュール間の継目に塗布される。継目の前面を被覆するために、タイル状ディスプレイの前面には、たとえば水平および垂直なストライプの形態を取った、黒いパターンのコーティングが適用され得る。
【課題を解決するための手段】
【０００５】
発明の概要
この発明の実施例の目的は、良好なタイル状ディスプレイシステムと、それに対応するディスプレイタイルと、タイル状ディスプレイを組立てるか、または調節するための良好な方法とを提供することである。総体的な大判型撮像品質が良好なディスプレイシステムを得られることが、この発明の実施例の利点である。上記の目的および利点は、この発明の実施例に従ったシステムおよび方法によって得られるであろう。
【０００６】
この発明は、照明または撮像用のタイル状ディスプレイに関し、タイル状ディスプレイは、並べて配置された複数のディスプレイタイルを備え、タイル状ディスプレイはさらに、２つの近接するディスプレイタイル間の継目において少なくとも１つの光吸収織物または布地を含む継目隠し手段を備える。これらにより、ディスプレイタイル間の継目が実質的に見えなくなり得るタイル状ディスプレイが提供されることが、この発明に従った実施例の利点である。環境光または迷光が継目に吸収され得るため、撮像または照明において不要な光、および多くの場合、目に見えるかく乱光を減少させるか、または防止することが利点である。継目を隠すために使用する材料が、ＵＶ放射等の放射に対して実質的に耐性を有し得ることが、さらに、この発明に従った実施例の利点である。このことは特に有利であることが考えられる。なぜなら、大判型ディスプレイ等のタイル状ディスプレイシステムが、しばしば、屋外での使用を意図するためである。また、継目を隠すために使用する材料が、加熱に対して実質的に耐性を有し得ること、たとえば、ゴムよりも加熱に対して実質的に耐性を有し得ることも、この発明に従った実施例の利点である。
【０００７】
少なくとも１つの光吸収織物または布地は、少なくとも１つのディスプレイタイルに接続され得る。少なくとも１つの光吸収織物または布地は、少なくとも１つのディスプレイタイルに近接するディスプレイタイルに接続されるのに適し得る。継目を隠すために使用する材料が、同時に、ディスプレイタイルの位置合わせを助けるために使用され得、それにより、高品質の撮像または照明、たとえば、高い均一性を有する撮像または照明が行なわれることが、この発明に従った実施例の利点である。継目を隠すために使用する材料が、タイル間の継目の必要厚さを保持することを助け得ること、たとえば、使用されるディスプレイタイルのピクセル間のピッチに一致することを助け得ることが、この発明に従った実施例の利点である。このような位置合わせが、熱または放射による劣化に対して実質的に耐性を有し得ることは、さらなる利点である。
【０００８】
少なくとも１つの吸収織物または布地は、少なくとも１つのディスプレイタイルの縁端に接続され得る。組立中にディスプレイタイル間の継目を隠すための材料を容易に設け得ることは、この発明に従った実施例の利点である。なぜなら、タイル状ディスプレイ壁を構築する前に、当該材料をディスプレイタイルに前もって適用しておくことができるためである。
【０００９】
継目隠し手段は、上記の近接するディスプレイタイルの縁端に接続される第２の織物または布地を含み得、この少なくとも１つの吸収織物または布地は、第２の織物または布地の表面から直立する直立部間に、第１の織物または布地の表面から直立する直立部を移動させることにより、上記の第２の織物または布地と相互作用するように適合され得る。デ
ィスプレイタイル壁を組立てる前に、たとえば光を阻止し、ディスプレイタイルの位置合わせを助けてディスプレイタイル間の継目の幅を制御することにより継目を隠すための材料を適用することができ、組立工程がより容易になることが、この発明に従った実施例の利点である。タイル状ディスプレイ壁の組立が効率的であることは、この発明に従った実施例の利点である。なぜなら、継目の充填が、ディスプレイタイルを互いの隣りに配設することによって自動的に行なわれ得、これらのディスプレイタイルが互いの隣りにまたは互いに隣接して位置付けられた後における、継目を隠すためのさらなるステップの必要性を減じるか、または解消さえするためである。
【００１０】
光吸収織物または布地および第２の織物または布地は、上記する近接のディスプレイタイルの縁端に接続され得る。これは、フックおよびループファスナー、バリ（burr）ファスナー、タッチファスナー、または、ループを備えるファスナーの一部等の、フックおよびループファスナーの一部のいずれかであってよい。
【００１１】
タイル状ディスプレイ（壁）におけるディスプレイタイルのメンテナンスまたは取替えが有利にも行なわれ得ることが、この発明に従った実施例の利点である。なぜなら、継目を隠してタイルの位置合わせを助けるための材料が、ディスプレイタイル間において継目隠し手段を可逆的に形成するように適合され得るためである。
【００１２】
第２の織物または布地は、光吸収織物または布地であり得る。不要な光の量をさらに減らすことも可能である点が、この発明に従った実施例の利点である。
【００１３】
継目隠し手段は、タイル状ディスプレイにおけるディスプレイタイルの位置合わせを助けるために、移動するディスプレイタイルに抵抗圧力（counter pressure)を与えるための平均圧縮強度を有し得る。たとえば組立中に、たとえば重力によるディスプレイタイルの滑りまたは移動を回避するように布地を選択できる点は、この発明に従った実施例の利点であり、これは有利である。なぜなら、この布地により、ディスプレイタイルの異なるピクセル間のピッチに有利にも一致する、予め定められた継目の幅を保持することが可能になるためである。
【００１４】
継目隠し手段は、１つのディスプレイタイルの重力に対向するように適合される平均圧縮強度を有し得る。
【００１５】
継目隠し手段の少なくとも１つの光吸収織物または布地は、２５％の変形、３３％の変形、または５０％の変形において、０．０１ｋＰａから１０ｋＰａの平均圧縮強度を有し得る。
【００１６】
継目隠し手段の圧縮強度は、ディスプレイタイルの移動力、たとえば、１Ｎから１００Ｎの力、たとえば５Ｎから１５Ｎの力に対向するのに十分なものであり得る。
【００１７】
継目隠し手段が、適切な継目のサイズを生じるタイルの位置合わせ作用と、不要な光を殆どまたは全く見えないようにする光阻止作用との両方を実現し得る点が、この発明の実施例の利点である。これにより、継目を見えなくするために必要とされる構成要素の数が減少する。さらに、継目隠し手段は、再使用が可能であり、その位置合わせ機能は、放射、加熱、タイルの挿入による破損、またはそれらの組合せによる影響を実質的に受けない。
【００１８】
少なくとも１つの光吸収織物または布地の織物または布地材料は、ポリアミドを少なくとも７５％含み得る。これは、ポリアミドを１００％含み得る。
【００１９】
この発明はまた、上記のタイル状ディスプレイと、上記のタイル状ディスプレイにおいて複数のディスプレイタイルを駆動するための駆動手段とを備えるタイル状ディスプレイシステムに関する。
【００２０】
この発明はさらに、タイル状ディスプレイで使用するためのディスプレイタイルに関し、このディスプレイタイルは、ディスプレイタイルに接続されて、当該ディスプレイタイルがタイル状ディスプレイにおいて組立てられる際に、ディスプレイタイルと近接するディスプレイタイルとの間の継目を隠すことを助ける、光吸収織物または布地を備える。ディスプレイタイルは、ディスプレイタイルがタイル状ディスプレイにおいて組立てられる際に、近接するタイルの光吸収織物または布地に接続するための接続手段を備え得る。
【００２１】
ディスプレイタイルは、第２の織物または布地を含み得、この第２の織物または布地は、当該第２の織物または布地の表面から直立する直立部間に、近接するタイルの第１の光吸収織物または布地の表面から直立する直立部を移動させることにより、第１の光吸収織物または布地と相互作用するように適合される。
【００２２】
この発明はまた、タイル状ディスプレイを組立てるための方法に関し、この方法は、複数のディスプレイタイルを得るステップと、上記複数のディスプレイタイルを並べて配置するステップとを含み、それにより、２つの近接するディスプレイタイル間の少なくとも１つの継目に継目隠し手段が設けられ、この継目隠し手段は、少なくとも１つの光吸収織物または布地を含む。
【００２３】
この方法は、上記配置するステップの前に、第１のディスプレイタイルの縁端において上記少なくとも１つの光吸収織物または布地を接続するステップを含み得る。
【００２４】
この方法はさらに、第１のディスプレイタイルに近接して位置付けられるであろうディスプレイタイルに第２の織物または布地を接続するステップを含み得、上記複数のディスプレイタイルを並べて配置するステップは、近接するタイルの第２の織物または布地の表面から直立する直立部間に、第１の光吸収織物または布地の表面から直立する直立部を移動させることにより、第１の織物または布地と、第２の織物または布地との間の相互作用をもたらすステップを含む。
【００２５】
この発明はまた、タイル状ディスプレイを調節するための方法に関し、この方法は、ディスプレイタイルを取外し、それにより、ディスプレイタイルに接続された第１の光吸収織物または布地と、近接するタイルに接続された第２の織物または布地との間の相互作用をなくすステップと、制御されたおよび／または調節されたおよび／または取替えディスプレイタイルを導入し、それにより、この制御されたおよび／または調節されたおよび／または取替えディスプレイタイルに接続された第１の光吸収織物または布地と、近接のタイルに接続された第２の織物または布地との間の相互作用をもたらすステップとを含む。
【００２６】
この発明の特定の好ましい局面を、前掲の独立クレームおよび従属クレームに明記している。従属クレームの特徴は、独立クレームの特徴、および他の従属クレームの特徴と適宜組合せてよく、クレームに単に明示的に提示されたとおりのものではない。
【００２７】
この発明の上記のおよび他の特性、特徴、および利点は、添付の図面とともに以下の詳細な説明から明らかになるであろう。添付の図面は、例として、この発明の原理を例示する。この説明は、発明の範囲を限定せず、例示のためだけに提示されている。
【００２８】
異なる図面における同一の参照符号は、同一または類似の要素を指す。
【発明を実施するための最良の形態】
【００２９】
例示的な実施例の説明
特定の実施例に関し、或る図面を参照してこの発明を説明するが、この発明はそれに限定されず、クレームによってのみ限定される。記載される図面は概略的なものにすぎず、非限定的である。図面では、要素のうちの或るもののサイズが例示のために誇張されており、縮尺通りに描かれていない場合がある。寸法および相対寸法は、この発明の実際の実施化に対応しない。
【００３０】
さらに、説明およびクレームにおける、第１、第２等の用語は、類似する要素を識別するために使用されており、必ずしも、時間的、空間的、等級付け、または他のいずれかの態様における順序を記載するために使用されている訳ではない。このように使用されている用語が、しかるべき状況下で相互に交換可能であること、および、本明細書に記載する発明の実施例が、本明細書に記載または例示する順序以外の順序での動作を行なえることを理解されたい。
【００３１】
クレームで使用される「備える」という用語が、それ以降に列挙される手段に限定されると解釈されるべきではないこと、すなわち、この用語が、他の要素またはステップを除外しないことに注意されたい。同様に、クレーム内で同じく使用される「接続される」という用語が、直接接続のみに限定されると解釈されるべきではないことに注意されたい。しかしながら、「接続される」は、有利であることが考えられる直接接続を含む。この明細書の全体における「一実施例」または「実施例」への言及は、実施例に関連して説明される特定の特徴、構造、または特性が、この発明の少なくとも一実施例に含まれることを意味する。さらに、特定の特徴、構造、または特性を、１つ以上の実施例において、この開示から当業者に明らかになるであろう任意の適切な態様で組合せることができる。
【００３２】
同様に、この発明の典型的な実施例の説明では、開示を円滑に行い、かつ、さまざまな発明の局面の１つ以上の理解を助けるために、この発明のさまざまな特徴が、時として、１つの実施例、図面、またはその説明において共にグループ化されることを認識されたい。さらに、本明細書に記載する実施例の中には、他の実施例に含まれる特徴のうちの或るものを含み、或るものを含まないものがあるが、当業者に理解されるように、異なる実施例の特徴の組合せが、この発明の範囲内に入り、異なる実施例を形成することが意図される。本明細書に提示する説明では、多数の具体的な詳細が明記される。しかしながら、この発明の実施例が、これらの具体的な詳細がなくても実施され得ることを理解されたい。その他の場合において、公知の方法、特徴、および技術は、この説明の理解を妨げることのないように、詳細には示していない。
【００３３】
以下の用語は、この発明の理解を助けるためにのみ提示する。「布地」は、天然繊維または合成繊維を織るか、編むか、加圧するか、またはフェルト化することによって形成される生地または材料を意味する。このような布地は、たとえば、織地または不織地の織物材料を指し得る。
【００３４】
第１の局面において、この発明は、照明または撮像用のタイル状ディスプレイに関する。このようなタイル状ディスプレイは、個々のディスプレイモジュールとも呼ばれる複数のディスプレイタイルを備え、しばしば、並べて位置付けられる。ディスプレイタイルは、あらゆる種類のアドレス指定可能なディスプレイ技術、たとえば、燐光性、エレクトロルミネセント、有機もしくは無機の放射性、反射性、または他の公知のディスプレイ技術に基づき得る。ディスプレイタイルは、複数のピクセルまたは光源を備えるタイル、たとえば複数の発光ダイオード（ＬＥＤ）を備えるタイルであり得る。タイル状ディスプレイ１００は、たとえば、図１に例として示すように、ディスプレイタイル１１０の行列として構成され得る。使用するディスプレイタイルの数は、必要とされるタイル状ディスプレ
イのサイズと、個々のディスプレイタイルのサイズとに依存し得る。たとえばＮ×Ｍ個のディスプレイタイルのアレイを使用することができる。ディスプレイタイル１１０間には、継目１１２とも呼ばれる隙間が存在する。この発明によると、タイル状ディスプレイは、継目１１２を隠すための継目隠し手段１１４を備える。このような継目隠し手段１１４は、２つの近接するディスプレイタイル１１０間の継目に位置付けられる少なくとも１つの光吸収布地または織物１１６を備える。したがって、光吸収布地または織物１１６は、個々のディスプレイタイル１１０間の隙間を光学的に隠すことができる。すなわち、この隙間が極めて小さい場合でも、その隙間を充填しないでおくと、ディスプレイの背面における周囲光またはスポット光を必ず前面に通過させてしまう。光吸収布地または織物１１６は、隙間越しに輝く光を吸収することにより、当該光を減少させるか、または防止することを助ける。このようにして、視認方向に結合される環境光または迷光を大いに減らすか、または、防ぐことができる。これは有利である。なぜなら、タイル状ディスプレイが、しばしば、迷光または環境光の量が多いことが考えられる屋外での使用を意図しているためである。
【００３５】
タイル状ディスプレイ１００はさらに、ディスプレイタイル１１０が機械的に固定されるベース構造１２０を備え得る。機械的固定は、あらゆる種類の機械的固定、たとえば、糊付け、ねじ留め、クリック留め、クリップ留め等であり得る。有利にも、機械的固定は糊付けにより行なわれる。なぜなら、これにより、タイル状ディスプレイ１００における異なる構成要素、たとえばディスプレイタイル１１０またはベースプレート１２０の製造に対して、より大きな許容度が得られるためである。タイル状ディスプレイ１００が、タイル状ディスプレイに従来から存在する他の特徴、たとえば、異なるディスプレイタイル１１０を駆動するための駆動手段１２２、ディスプレイタイル１１０にデータフローを提供するためのデータ接続部１２４、（たとえばデージーチェーン接続により）ディスプレイタイル１１０に給電するための電力装置１２６および電気的接続部１２８、複数のディスプレイタイルの前に位置付けられる大きな板であることが考えられる光学インテグレータ（図示せず）等を含み得るが、この発明がそれに限定されないことに注意されたい。これらのおよび他の任意の構成要素は、先行技術のタイル状ディスプレイから公知であり得るため、本説明ではそれ以上詳しく説明しない。異なるディスプレイタイル１１０を駆動するための駆動手段と組合されたタイル状ディスプレイを、タイル状ディスプレイシステムと呼ぶことができる。
【００３６】
ここで、この発明の実施例の特徴的な構成要素についてより詳細にさらに説明する。この発明に従う実施例では、タイル状ディスプレイ１００は、継目１１２を隠すための継目隠し手段１１４をタイル１１０の間に備える。継目隠し手段１１４は、それによって、光吸収布地または織物１１６を備える。光吸収布地または織物１１６は、たとえば黒色の布地または織物であってもよい。光吸収布地または織物１１６は、継目に存在する環境光または迷光を５０％、より有利には７５％、さらにより有利には９０％、さらにより有利にはすべて吸収するように適合され得る。光吸収布地または織物１１６は、可撓性の薄織物または布地類または織物のような材料であってもよい。光吸収布地または織物１１６は、織布または不織布であってもよい。用いられ得る布地または織物材料の一例は、ポリアミドを少なくとも７５％含む材料、またはポリアミドを１００％含んでさえいる材料である。継目隠し手段１１４、またはより詳細にはたとえば少なくとも１つの光吸収布地または織物１１６が実質的に放射線に対して耐性があることは、この発明に従う実施例の利点である。タイル状ディスプレイは多くの場合戸外で用いられ得るので、相当な量の放射線、たとえば紫外線が継目隠し手段１１４に入射する可能性がある。たとえばゴムとは対照的に、少なくとも１つの光吸収布地または織物１１６は、放射線の下での劣化が大幅に少なく、その結果、継目隠し手段１１４の寿命が高くなり、したがってタイル状ディスプレイの高品質が持続し、継目隠し手段１１４をすぐに取替える必要がない。継目隠し手段１１４、またはより詳細にはたとえば少なくとも１つの光吸収布地または織物１１６は、実質
的に熱に対して耐性があってもよい。たとえばゴムとは対照的に、少なくとも１つの光吸収布地または織物１１６は、熱の下での劣化が大幅に少なく、その結果、継目隠し手段１１４の寿命が高くなり、したがってタイル状ディスプレイの高品質が持続し、継目隠し手段１１４を取替える必要がない。
【００３７】
少なくとも１つの光吸収布地または織物１１６は、ディスプレイタイル端縁に接続されていなくてもよく、たとえばディスプレイタイル１１０の間の継目に位置決めされてもよい。少なくとも１つの光吸収布地または織物１１６は、ディスプレイタイル１１０の前面の前面板およびディスプレイタイル１１０の後ろの裏板によってさらに限定されてもよい。代替的に、少なくとも１つの光吸収布地または織物１１６は、ディスプレイタイル１１０のうちの少なくとも１つに接続、たとえば機械的に接続されてもよい。このような接続は有利に、ディスプレイタイル１１０の端縁との接続であってもよい。それによって、接続は、少なくとも１つの光吸収布地または織物１１６を２つのディスプレイタイル１１０の間の継目１１２、すなわちディスプレイタイル１１０の２つの端縁によって決定される隙間に位置決めできるようなものである。少なくとも１つの光吸収布地または織物１１６がディスプレイタイル１１０のうちの少なくとも１つに接続されることは、この発明に従ういくつかの実施例の利点である。なぜなら、これは組立前になされることができ、したがって、より容易で効率的な組立および／またはメンテナンスを助けるためである。このように、隠し継目の構成要素は、タイル状ディスプレイ１００の組立前に個々のディスプレイタイル１１０に適用され得る。有利な実施例では、接続は可逆性であってもよい。
【００３８】
１つの特定の例では、少なくとも１つの光吸収布地または織物１１６がたとえばタイル端縁において少なくとも１つのディスプレイタイル２１０ａに接続、たとえば機械的に接続され、光吸収布地または織物１１６が少なくとも１つのディスプレイタイル２１０ａの隣接するディスプレイタイル２１０ｂに接続されるのに好適であり得るタイル状ディスプレイ１００が提供されてもよい。隣接するディスプレイタイル２１０ｂは、この目的で、たとえばディスプレイタイル２１０ｂの端縁に接続手段２３０を備えていてもよい。光吸収布地または織物１１６と少なくとも１つのディスプレイタイル２１０ａとの間の接続は、たとえば糊付け、ステープル留め、ねじ留め、タイル端縁に合わせて調節された別の布地または織物との係合によるものなどの任意の好適な方法であってもよい。隣接するディスプレイタイル２１０ｂは、また、たとえば予め糊付けされた側を有することによって、フックを有することによって、光吸収布地または織物１１６と係合させるための予め取付けられた布地または織物を有することによって、ねじ留め、ステープル留めなどに好適な端縁を有することによって、光吸収布地または織物１１６を接続するように適合されてもよい。一例として、図２は、この発明の実施例に従うタイル状ディスプレイにおいて用いるための２つのディスプレイタイル２１０ａ、２１０ｂを示し、ここでは、光吸収布地または織物１１６は、第１のタイル２１０ａの端縁２２０ａにおいてねじによって接続され、第２のタイル２１０ｂにループで接続されるように適合され、第２のタイル２１０ｂはたとえば第２のタイル２１０ｂにおける端縁２２０ｂにフックのような接続手段を備える。光吸収布地または織物１１６の、タイル２１０ａ、２１０ｂの両方への接続は、タイル状ディスプレイ１００の後ろから来る光の阻止をさらに助ける。
【００３９】
タイルの製造を容易にするため、およびタイル状ディスプレイの組立を容易にするために、特定の実施例に従うタイル状ディスプレイにおいて用いるためのまたはタイル状ディスプレイにおいて用いられるディスプレイタイル１１０は、ディスプレイタイル１１０の第１の端縁２５２に機械的に接続された光吸収布地または織物１１６と、ディスプレイタイル１１０の第２の端縁２５４における接続手段２３０、たとえば光吸収布地または織物１１６に接続させるための機械的な接続手段とを備えていてもよく、その結果、タイル状ディスプレイを全く同じディスプレイタイルで作り上げることができ、すなわちディスプレイタイルに組入れられた継目隠し手段の構成要素の位置に関して少なくとも全く同じで
あり得る。これは一例として図３に示される。
【００４０】
第２の特定の例では、継目隠し手段１１４は、１つのディスプレイタイル、たとえば１つのディスプレイタイル２１０ａの端縁に接続された第１の光吸収布地または織物１１６と、隣接するディスプレイタイル、たとえば隣接するディスプレイタイル２１０ｂの端縁に接続された第２の布地または織物３０２とを備えるかまたはそれらで構成される。第１の光吸収布地または織物１１６、ならびに任意におよび有利にこれも光吸収布地または織物である第２の布地または織物３０２は、同じタイプの布地または織物であってもよいが、そうである必要はない。タイル状ディスプレイの一部が図４に示され、図４は、この例では同じ材料である第１の光吸収布地または織物１１６と第２の布地または織物３０２とをそれぞれ備える２つのディスプレイタイル２１０ａ、２１０ｂの一部の例示的な図を示す。ディスプレイタイル壁を組立てる前に完全な継目隠し手段１１４を適用することができ、それによって、組立中に継目隠し手段１１４を適用または固定するためにさらなる機械的手段または他の手段は必要ではなく、したがって組立プロセスがより容易で効率的になることがこのような実施例の利点である。言い換えると、ディスプレイタイルを隣同士に配置し、ディスプレイタイルを隣同士にまたは互いに近接して位置決めした後に継目を隠すための追加のステップの必要性を低減または回避さえすることによって継目隠し手段１１４が自動的に形成されるように組立前に継目隠し手段１１４の構成要素を設けることができる。さらに、同じ材料を用いて複数回ディスプレイタイルの間に継目隠し装置を設けることができる、すなわち継目隠し装置が再使用できることが利点である。
【００４１】
第３の特定の例では、上述の実施例または例のいずれかにおいて用いられるような少なくとも１つの光吸収布地または織物１１６、およびもしあれば任意に第２の布地または織物も、たとえばパイル、ナップもしくはフロック印刷生地などにおける生地表面から直立する伸張部または直立部を有する生地であってもよい。これらは、生地表面のすべてまたは一部の上の房、ループまたは他の直立した織り糸を含んでいてもよい。このような生地は、縦糸タイプ、横糸タイプ、結び目付きパイルタイプ、ループタイプ、切断パイルタイプ、フロックタイプ、ナップタイプなどであってもよい。このような布地または織物材料の例は、たとえばベルクロ（Velcro）（登録商標）またはベルクロのようなシステムであるがそれに限定されない、たとえばフックアンドループファスナー、バリファスナーまたはタッチファスナーから入手可能であるような、たとえば毛状のものまたはループのような構造を有する織物であってもよい。これらの布地または織物材料は有利に、光学的にさらにより適切に吸収する継目材料を提供し、したがって、迷光または環境光の通過を回避することをさらに助ける。１つの特定のさらなる例では、２つの布地または織物が存在する場合、第１および第２の布地または織物は両方、生地表面から直立する伸張部または直立部を有する生地から作られてもよく、接触すると、第１の布地または織物１１６の伸張部または直立部は第２の布地または織物の伸張部または直立部の間に移動または摺動でき、このようにしてやはり優れた光学的吸収材料を継目に形成する。すなわち継目において迷光または環境光を適切に吸収する。２つの布地または織物はさらに、大きな力をかけることなく分離できる。継目隠し手段１１４がタイル状ディスプレイの組立時に再び得られる場合に継目隠し特性を低減することなく、適切に吸収する継目隠し装置の形成が多数の回数にわたって可逆的に得られることができることがこれらの布地または織物材料の利点である。１つの他の例では、第１の布地または織物材料は、たとえば組立前にディスプレイタイルの２つの端縁に接続されてもよく、第２の布地または織物材料は、たとえば組立前にディスプレイタイルの他の２つの端縁に接続されてもよい。一例では、フックアンドループファスナーの両方のタイプの生地を用いてもよい。
【００４２】
ディスプレイタイル間の相互作用が継目隠し手段１１４によって得られ、したがってディスプレイタイルの位置合わせを助けることがこの発明のいくつかの実施例の利点である。上述のように、継目が見えることの一部は、隣接するディスプレイタイルの端縁におけ
るピクセル間のピッチが１つのディスプレイタイル内の隣接するピクセル間のピッチとは異なるようなディスプレイタイル１１０間の間隔に由来する。いくつかの特徴は、組立時および組立後にディスプレイタイル間の隙間の幅を制御することを助ける。有利に、ディスプレイ要素の担持構造の機械的設計についての正確な許容差が適切に規定され得る。製造時および寿命時の許容差は、通常の構築技術（成形、フライス加工）によって構築された構造の代わりに糊付けされた構造を用いることによって制御下に置かれることができる。糊付けプロセスは、製造時に硬化中いずれの変形も発生させない、応力のないプロセスである。用いられる材料は、炭素繊維および適切な樹脂から作られ得る複合材料であってもよい。ディスプレイタイル接続構成要素は、フライス加工された固体金属構成要素から作られてもよく、別々のディスプレイタイル内で用いられる材料および担持構造において用いられる材料と一致する。
【００４３】
この発明の特定の実施例に従って、継目隠し手段１１４はさらに、ディスプレイ壁においてディスプレイタイルを位置合わせすることを助けるように適合される。モジュールの台における特定の遊びを認めるモジュラシステムのために継目隠し手段を用いることができ、それによって継目隠し手段が少なくとも部分的にその遊びを補償するように適合されることがこの発明の実施例の利点である。これは、継目隠し手段１１４がディスプレイタイル１１０の移動に対して抵抗圧力を与えるための平均圧縮強度を有するようにすることによって得られる。これは、組立時および組立後に単一のディスプレイタイルのピクセル間のピッチに近いかまたは一致する継目幅を得ることを助けることができる。したがって、これらの実施例に従って、個々のディスプレイタイル１１０は圧縮によって特定の位置に安定化される。このように、継目隠し手段１１４は、別々のディスプレイタイル１１０が、一旦担持構造上に取付けられると、構造およびディスプレイタイル１１０の許容差によって与えられる外側境界の方に向く傾向があるのを防ぐことを助けることができる。このように、タイル状ディスプレイの全体的な均一性、たとえばより詳細には完全なタイル状ディスプレイにおけるピクセル間のピッチは高くてもよく、機械的な継目の「重力」と「許容差の外側境界」との従属状態は低減されるかまたは回避されさえする。抵抗圧力は、少なくとも１つの光吸収布地または織物を備える継目隠し手段１１４の機械的抵抗、すなわち圧縮強度、たとえばより詳細には継目隠し手段１１４の可撓性の性質のために用いられる布地もしくは織物または布地もしくは織物の組合せの圧縮強度によって与えられる。それによって、継目隠し手段１１４は、たとえば任意の重力効果に逆らって平均的な位置の方に別々のディスプレイタイルを押す。このため、ディスプレイタイルおよびディスプレイタイルの機械的接続部は外側許容差設定または位置には存在しなくなり、その代わりに、機械的接続部およびディスプレイタイルは、完全なディスプレイ構造に関して見て、平均、たとえば平均的な位置に押し戻されることになる。したがって、継目隠し手段１１４の機械的特性、またはより詳細には継目隠し手段１１４において用いられる布地／織物の機械的特性が、たとえば組立中のたとえばディスプレイタイルの重力に起因する滑りまたは移動を回避するように選択されることができることがこの発明に従う実施例の利点である。これは有利である。なぜなら、それによって、ディスプレイタイルの異なるピクセル間のピッチに有利に一致する予め定められた継目幅に近づけるまたは予め定められた継目幅を維持することが可能になるためである。有利な実施例では、継目隠し手段１１４の構成要素は、上述の特定の実施例においてより詳細に説明したように、ディスプレイタイルの外側端縁に接続されてもよい。継目隠し手段１１４の少なくとも１つの光吸収布地または織物１１６は、たとえば１つのディスプレイタイルまたはディスプレイモジュールの重量を持上げるための力に耐えるように適合された平均圧縮強度を有していてもよい。組立力は取上げるべきものではない。必要な強度は、モジュールの重量および用いられる織物の大きさの関数として選択されてもよい。一例では、１つのモジュールの質量は１ｋｇまでであってもよく、その結果、織物にかかる力は約１０Ｎになる。対向されるべき圧縮力は、０．１Ｎから１０００Ｎの間であってもよく、たとえば０．５Ｎから１００Ｎの間であってもよく、たとえば１Ｎから１０Ｎの間であってもよい。継目隠し手段の圧縮強
度は、たとえば位置合わせピンに対して相当な許容差を有する位置合わせ穴に個々のモジュールの位置合わせピンを位置決めすることを助けることによって個々のモジュールを位置決めすることを助け、したがって継目隠し装置は穴における適切な位置に位置合わせピンを移動させる。継目隠し手段の圧縮強度は、１Ｎから１００Ｎの間、たとえば５Ｎから１５Ｎの間の力に対向するのに十分なものであってもよい。少なくとも１つの織物材料の圧縮強度は、２５％の変形、または３３％の変形、または５０％の変形において平均して０．０１ｋＰａから１０ｋＰａの間であってもよい。組立後の継目隠し手段１１４の厚さは好ましくは、個々のディスプレイタイルのピクセルピッチに一致する。１つの特定の例では、この発明はそれに限定されないが、圧縮前の材料の厚さは２ｍｍから３ｍｍの間であってもよいのに対して、タイルによる圧縮後は、材料の厚さは１ｍｍから２ｍｍの間を変動してもよい。このような材料はたとえば、ピクセルピッチが３ｍｍから１２ｍｍの間である場合に適切な継目隠しを得るのに好適であり得る。用いられ得る明白な例は、たとえばベルギーのアルファテックス（Alfatex）から入手可能であるような１００％ポリアミドのループタイプの組の布地または織物である。継目隠し手段が、適切な継目の大きさをもたらすタイルの位置合わせの作用と、目に見える不要な光を少なくするまたは全くないようにする光学的阻止の作用との両方を満たすことができることがこの発明の実施例の利点である。これは、継目を見えないようにするために必要な構成要素の数を低減する。さらに、継目隠し手段１１４は再使用可能であってもよく、位置合わせ機能は放射線、加熱、タイルまたはタイルの組合せの挿入に起因する破壊に実質的に影響されない。
【００４４】
一例として、図５は、この発明の実施例に従う例示的なタイル状ディスプレイ１００を示す。この例では、並べて配置された９つの個々のディスプレイタイル１１０が設けられ、継目隠し手段１１４が設けられる。図５および図６は、中央のディスプレイタイルを取外した同じタイル状ディスプレイ１００を示し、ディスプレイタイルの端縁における継目隠し手段を通常の図および分解図で示す。この例では、生地表面から直立する直立部を有する少なくとも１つの光吸収布地または織物１１６が、組立時に隣接するディスプレイタイルの類似の光吸収布地または織物と係合するために、すべてのディスプレイタイル端縁に接続されており、したがって隣接するディスプレイタイル間の継目に継目隠し手段１１４が形成される。
【００４５】
なお、第１の布地または織物が光吸収布地または織物であるように示されているが、上述の局面および実施例の特徴は光非吸収布地または織物にも適用されることができ、それによって、継目において迷光または環境光を吸収するという利点は得られないが、布地または織物は依然として上述の位置合わせおよび／または位置決め機能を満たすことができ、したがって位置合わせは改善され、したがって継目が見えることが低減される結果になる。
【００４６】
第２の局面では、この発明は、タイル状ディスプレイ１００において用いるためのディスプレイタイル１１０に関し、ディスプレイタイル１１０は、複数のピクセルまたは光源１５０と、ディスプレイタイル１１０の第１の端縁に接続され、ディスプレイタイル１１０がタイル状ディスプレイ１００に組立てられるときにディスプレイタイル１１０と隣接するディスプレイタイルとの間の継目１１４を隠すことを助けるための光吸収布地または織物１１６とを備える。ディスプレイタイル１１０はさらに、隣接するタイルの光吸収布地または織物に接続するための接続手段２３０をタイルの第２の側に備えていてもよい。ディスプレイタイルは、光吸収布地または織物１１６と協働して、継目を隠すための迷光または環境光の優れた光学的吸収装置を形成するように適合された、第２の布地または織物３０２を備えていてもよい。ディスプレイタイル１１０はさらに、この発明の第１の局面に記載されたディスプレイタイルと同じ特徴および利点を備えていてもよい。ディスプレイタイル１１０は、この発明の第１の局面に従うタイル状ディスプレイにおいて用いるのに特に好適であってもよい。
【００４７】
第３の局面では、この発明は、タイル状ディスプレイ１００のディスプレイタイル１１０間の継目が見えにくいまたは全く見えないようにタイル状ディスプレイ１００を組立てるための方法に関する。この方法は、複数のディスプレイタイル１１０を得るステップを備える。複数のディスプレイタイル１１０を得るステップは、予め作られたディスプレイタイル１１０を得るステップまたはディスプレイタイル１１０を製造するステップを備えていてもよい。これは有利に、ディスプレイタイルを製造するための従来のステップの他に、ディスプレイタイル１１０の第１の端縁に光吸収布地または織物１１６を提供し、ディスプレイタイル１１０の第２の端縁に任意に接続手段２３０を提供するステップを含んでいてもよいが、この発明はそれに限定されない。一実施例では、まず従来のディスプレイタイル１１０が得られてもよく、この方法は、ディスプレイタイルを並べて配置する前にディスプレイタイル１１０の第１の端縁に光吸収布地または織物１１６を接続するステップを備えていてもよい。この方法は、ディスプレイタイルを並べて配置する前にディスプレイタイルの第２の端縁に接続手段２３０を提供するステップも備えていてもよい。この方法は、特定の実施例では、光吸収布地または織物１１６が接続される第１のディスプレイタイル１１０に隣接して位置決めされることになるディスプレイタイル１１０の端縁に接続手段２３０を提供するステップを備えていてもよい。接続手段２３０は、たとえば糊、フック、もしくはねじ、ステープルもしくは釘を設けるための材料、またはたとえば光吸収布地または織物１１６と相互作用するように適合された第２の布地または織物３０２、たとえばフックアンドループ構造などの、第１の局面のための上述の任意の好適な手段であってもよい。ディスプレイタイル１１０を得るステップは代替的には、従来のディスプレイタイル１１０を得るステップを備えていてもよく、それによって、継目隠し手段１１４の構成要素はディスプレイタイル１１０に接続されない。この方法はさらに、複数のディスプレイタイル１１０を並べて配置するステップを備え、それによって、継目隠し手段１１４が２つの隣接するディスプレイタイル１１０の間の少なくとも１つの継目１１２に設けられる。それによって、継目隠し手段１１４は、少なくとも１つの光吸収布地または織物１１６を備える。得られるディスプレイタイル１１０に応じて、これは、ディスプレイタイル１１０を隣接するディスプレイタイル１１０と接触させること、継目隠し手段１１４が継目１１２に存在するような任意の好適な方法で、第１のディスプレイタイル１１０に接続された光吸収布地または織物１１６を隣接するディスプレイタイル１１０に接続すること、光吸収布地または織物１１６を、隣接するディスプレイタイルに接続することなく、２つの隣接するディスプレイタイル１１０の間の継目１１２に導入すること、２つの隣接するディスプレイタイル１１０の間の継目１１２に光吸収布地または織物１１６を導入し、隣接するディスプレイタイル１１０のうちの少なくとも１つおよび任意に２つに接続することなどによって、継目隠し手段１１４を自動的に設けるステップを備えていてもよい。この方法は、隣接するディスプレイタイルの端縁に第２の布地または織物材料を接続し、第１の織物または布地の表面から直立する直立部を第２の織物または布地の表面から直立する直立部の間に移動させることによって、第１の光吸収織物または布地と、隣接するタイルの第２の織物または布地との間の相互作用をもたらすステップも備えていてもよい。継目隠し手段１１４が継目における迷光または環境光の阻止機能を提供できることは、このような組立方法の利点である。継目隠し手段とディスプレイタイルとの間で相互作用または接続が得られるこの発明の特定の実施例では、ディスプレイタイルの位置合わせまたは位置決めをさらに助けることが継目隠し手段によって行なわれることが利点である。継目隠し手段の構成要素が組立前にディスプレイタイルに接続される有利な実施例では、ディスプレイタイルの位置決め後に必要な追加のステップは少ないかまたは全くなく、その結果、タイル状ディスプレイの組立が容易になることが利点である。この発明はさらに、タイル状ディスプレイ１００のメンテナンスを提供するための方法に関する。これは、ディスプレイタイル１１０のうちの１つが予め定められた品質基準を下回って機能する場合、またはディスプレイタイルの洗浄、検査もしくは調節のために必要であり得る。この方法は、ディスプレイタイル１１０に接続された第１の光吸収布地または織物
１１６を隣接するタイル１１０の端縁または第２の布地もしくは織物から係合を解除するまたは取外すことによってディスプレイタイル１１０をタイル状ディスプレイ１００から取外し、洗浄、検査および／または調節されたディスプレイタイル１１０または取外されたディスプレイタイル用の取替ディスプレイタイル１１０を導入するステップを備える。これは、洗浄、検査および／または調節されたディスプレイタイル１１０の端縁に接続された第１の光吸収布地または織物を、隣接するタイル１１０の端縁または隣接するタイル１１０に接続された第２の布地もしくは織物と接触させることによって行なわれてもよい。第２の布地または織物３０２と接触させることは、布地または織物３０２の生地表面から直立する直立部を第１の光吸収布地または織物の直立部の間に移動させることを備えていてもよい。このように、このシステムは、同じ構成要素を用いておよび／または同じ構成要素を再使用して、可逆的に継目隠し手段を形成するように適合される。
【００４８】
また、たとえば糊付けする、ディスプレイタイルを電気的に接続する、光学発光特徴に関してディスプレイタイルを較正するなどによって、ディスプレイタイル１１０をベースプレート１２０に接続するなどの異なる他のステップは任意に、組立およびメンテナンスの提供のための方法の一部であってもよい。さらに、取外しおよび／またはタイル状ディスプレイから取外したときのディスプレイの検査、洗浄もしくは調節の前にディスプレイタイルを電気的に切離すことも、メンテナンスの提供のための方法の一部であってもよい。
【００４９】
たとえば人間によるさらなる機械的な干渉の必要なくディスプレイタイルの位置決めの際に継目隠し手段を自動的に設けることができることは、この発明に従ういくつかの実施例の利点である。継目隠し手段を破壊することなく継目隠し手段が可逆的に設けられ、したがって継目隠し手段を再使用できるようにすることも、この発明のいくつかの実施例の利点である。
【００５０】
タイル状ディスプレイを組立てるための方法が提供され、その結果、タイル状ディスプレイシステムの全体的な均一性が高くなることは、この発明に従う実施例の利点である。
【００５１】
継目隠し手段が個々のディスプレイタイルに設けられてもよく、ディスプレイタイルを個々に位置合わせするかまたはディスプレイタイルを適切な位置に保ち得ることは、この発明に従う実施例の利点である。
【００５２】
この発明に従う装置のために好ましい実施例、特定の構築物および構成、ならびに材料について本明細書において説明してきたが、添付の特許請求の範囲によって規定されるこの発明の範囲から逸脱することなく、形状および詳細の点で種々の変更または修正がなされ得ることを理解すべきである。たとえば、上述のいずれの決まりきった手順も、用いられ得る手順を表わしているに過ぎない。機能をブロック図から追加または削除してもよく、動作は機能ブロックの中で入替えられてもよい。この発明の範囲内で記載される方法にステップを追加または削除してもよい。
【図面の簡単な説明】
【００５３】
【図１】この発明の実施例に従ったタイル状ディスプレイの典型的な概観を示す図である。
【図２】この発明の特定の実施例に従った、光を阻止する布地がディスプレイタイルの少なくとも１つの縁端に接続された典型的なタイル状ディスプレイの一部を示す図である。
【図３】この発明の特定の実施例に従った、第１の縁端に第１の光吸収布地と、第２の縁端に接続手段をと有する個々のディスプレイタイルを示す図である。
【図４】この発明の特定の実施例に従った、光を阻止する布地がディスプレイタイルの１つの縁端に接続され、当該光を阻止する布地と部分的に相互作用することが可能な第２の布地が近接するディスプレイタイルの縁端に接続されている、典型的なタイル状ディスプレイの一部を示す図である。
【図５】９個の個々のディスプレイタイルを有するタイル状ディスプレイの前面の等角図を示す、この発明の第１の局面に従った実施例の例を示す図である。
【図６】図５に示すタイル状ディスプレイの前面の等角図であり、それにより、中央のディスプレイタイルが取外されて個々のタイルの外側縁端における継目隠し装置を示す図である。
【図７】図５に示すタイル状ディスプレイの前面の等角図であり、それにより、中央のディスプレイタイルが取外されて個々のタイルの外側縁端における継目隠し装置を示す図である。
【符号の説明】
【００５４】
１００  タイル状ディスプレイ、１１０  ディスプレイタイル、１１２  継目、１１４
継目隠し手段、１１６  光吸収織物または布地。
【図１】
0005162765.tif 000002
【図２】
0005162765.tif 000003
【図３】
0005162765.tif 000004
【図４】
0005162765.tif 000005
【図５】
0005162765.tif 000006
【図６】
0005162765.tif 000007
【図７】
0005162765.tif 000008